(57)【特許請求の範囲】
【請求項１】
第１及び第２の鋸車と、
該第１及び第２の鋸車をハウジングの両端に回転可能に支持する第１及び第２の鋸車ベースと、
前記第１及び第２の鋸車間に張架された帯鋸と、
前記第１の鋸車ベースに設けられ、被切断材を案内するガイドテーブルと、
前記第１の鋸車を回転させるモータと、
前記第１の鋸車ベース上に配置し、第１の鋸車ベースと前記ハウジングとを連結するように設けられたスイッチハンドルとを有し、
前記第２の鋸車ベースは、前記帯鋸の走行方向と直角方向に前記ハウジングまで延在する支持部材を有する携帯用帯鋸機において、
前記第２の鋸車ベースの支持部材に、前記第２鋸車の上方から前記第１鋸車の方向に光を照射するライトを設け、
該ライトにより、前記帯鋸と、帯鋸と被切断材の接点と、前記ガイドテーブルを同時に照らすことを特徴とする携帯用帯鋸機。
【請求項２】
請求項１において、前記ライトを、照射する光の中心軸と、前記帯鋸の走行線が一致するように設けたことを特徴とする携帯用帯鋸機。
【請求項３】
請求項１において、前記第２の鋸車ベースの支持部材に、補助ハンドルを設け、該補助ハンドルの付近に前記ライトのスイッチを設けたことを特徴とする携帯用帯鋸機。
【発明の詳細な説明】
【０００１】
【発明の属する技術分野】
本発明は鋸車に張架された帯鋸により被切断材を切断する携帯用帯鋸機に関するものである。
【０００２】
【従来の技術】
従来、定置形帯鋸盤としてはライトを装備するものはあったが、携帯用帯鋸機や携帯用帯鋸機をスタンド等に取付け固定して立形にし、ガイドテーブル上で被切断材を切断するいわゆるコンター切断用帯鋸機には、ライトを装備したものがなかった。このため、暗い作業場での切断作業には、別のライトで切断個所付近を照らして作業したり、あるいは、暗いままで被切断材がよく見えない状態で切断していた。
【０００３】
【発明が解決しようとする課題】
従来の携帯用帯鋸機は、作業場所が暗い場合に明るくするため、別のライトを準備する必要があり、電源の確保やコードのはい回し等が面倒であった。また現場での切断作業は、被切断材の切断個所に帯鋸機を持っていくのが一般的であり、その度にライトを移動する手間や、ライトで照らしても光の照射位置により被切断材に手の影などができ、切断位置を示す墨線等がよく見えず、切断位置合わせに苦労する場合があるなどの問題があった。これは、スタンドなどで携帯用帯鋸機を固定して立形にし、ガイドテーブル上で被切断材の切断をするいわゆるコンター切断の際も同様である。
【０００４】
また、ライトを使用しないでの切断作業は、被切断材の切断位置が見えにくいため、真っ直ぐ切断出来なかったり、切断している付近に顔などを近づける等無理な姿勢で作業しなければならないという問題があった。
【０００５】
本発明の目的は、上記した従来技術の問題を解消し、暗い作業場での切断作業が容易かつ正確にできる携帯用帯鋸機を提供することである。
【０００６】
【課題を解決するための手段】
上記目的を達成するために本発明は、第１及び第２の鋸車と、該第１及び第２の鋸車をハウジングの両端に回転可能に支持する第１及び第２の鋸車ベースと、前記第１及び第２の鋸車間に張架された帯鋸と、前記第１の鋸車ベースに設けられ、被切断材を案内するガイドテーブルと、前記第１の鋸車を回転させるモータと、前記第１の鋸車ベース上に配置し、第１の鋸車ベースと前記ハウジングとを連結するように設けられたスイッチハンドルとを有し、前記第２の鋸車ベースは、前記帯鋸の走行方向と直角方向に前記ハウジングまで延在する支持部材を有する携帯用帯鋸機において、前記第２の鋸車ベースの支持部材に、前記第２鋸車の上方から前記第１鋸車の方向に光を照射するライトを設け、該ライトにより、前記帯鋸と、帯鋸と被切断材の接点と、前記ガイドテーブルを同時に照らすようにしたことに一つの特徴を有する。
【０００７】
【発明の実施の形態】
以下本発明を一実施形態を示した図１、図２により説明する。
【０００８】
ハウジング１の両端に鋸車２、３を回転可能に支持する鋸車ベース４、５を設け、鋸車２、３には帯鋸６を張架する。鋸車ベース４、５には帯鋸６を挟持案内する帯鋸ガイド７、８を設け、鋸車ベース４には被切断材１６を切断する際の被切断材１６を案内するガイドテーブル９を設け、ハウジング１内にはモータ１４を設け、モータ１４によって鋸車２は回転される。鋸車ベース４上にはスイッチハンドル１１が設けられ、スイッチハンドル１１にはモータ１４を回転・停止させるスイッチ１２が設けられている。
【０００９】
鋸車ベース５内には、帯鋸６、帯鋸６と被切断材１６の接点およびガイドテーブル９を同時に照らすライト１０が設けられ、鋸車ベース５に設けられたライトスイッチ１３により点灯・消灯される。ライト１０は照射する光の中心軸１０ａと帯鋸６の走行線が一致するように設けられている。
【００１０】
上記構成において、被切断材１６を切断する際は、一方の手でスイッチハンドル１１を持ち、他方の手で補助ハンドル１５を持ち、スイッチ１２を操作してモータ１４すなわち帯鋸６を回転させ、被切断材１６の上方から押付け切断する。
【００１１】
携帯形帯鋸機を立てて使用する場合を図２を用いて説明する。
【００１２】
図示しないスタンド等に携帯形帯鋸機を立てて固定し、帯鋸６を回転させた後、ガイドテーブル９上に被切断材１６を置き、被切断材１６を帯鋸６に押付け切断する。この時ライト１０の位置は、ガイドテーブル９上方に位置する。
【００１３】
被切断材１６付近が暗い場合は、ライトスイッチ１３を操作し、ライト１０を点灯して作業し、逆に被切断材１６付近が明るい場合は、ライトスイッチ１３を操作し、ライト１０を消灯して作業する。
【００１４】
このように周辺の状況に合わせて簡単にライト１０の点灯、消灯が行え、作業性を向上できる。またライト１０が照射する光の中心軸を帯鋸６の走行線中心と一致させたため次のような効果を奏し得る。
【００１５】
すなわち、別のライトで帯鋸６の斜め方向から照射した場合、被切断材１６に映る帯鋸６の影はある幅を持った影となり、被切断材１６の墨線を帯鋸６と合わせる場合に非常に見にくくなるという問題がある。これに対し照射する光の中心軸を帯鋸６の走行線中心と一致させた場合、被切断材１６に映る帯鋸６の影は帯鋸６の幅分しかないと共に帯鋸６の真下すなわち切断位置にしか影を作らないため、切断作業に支障を及ぼすことはなく、正確な切断が可能となる。
【００１６】
【発明の効果】
本発明によれば、帯鋸、帯鋸と被切断材の接点およびガイドテーブルを同時に照射するライトを帯鋸上方に設けたので、作業場が暗い場合でも、別のライトを準備したり、移動する手間が省ける。またライトの照射位置により被切断材に手の影などができ、切断位置を示す墨線等がよく見えなくなることがなく、切断している付近に顔などを近づける等の無理な姿勢で作業をすることはなくなり、暗い作業場所での切断作業を容易で正確にできるようになる。更にスタンドなどで携帯用帯鋸機を立てて固定し、ガイドテーブル上で被切断材を切断するコンター切断の際も同様であり、切断時の切粉の影響がないガイドテーブルの上方にライトを設けたためライト故障などの影響も受けない。
【図面の簡単な説明】
【図１】本発明携帯用帯鋸機の一実施形態を示す正面図。
【図２】本発明携帯用帯鋸機を立てて使用した時の状態を示す正面図。
【符号の説明】
１はハウジング、２、３は鋸車、４、５は鋸車ベース、６は帯鋸、７、８は帯鋸ガイド、９はガイドテーブル、１０はライト、１０ａは光の中心軸、１４はモータ、１６は被切断材
【図１】
0004129111.tif 000002
【図２】
0004129111.tif 000003